(57)【要約】【課題】例えばネットワークから配信される音楽（コンテンツ）を利用することができるコンテンツ配信システムを提供する。【解決手段】本発明のコンテンツ配信システムは、ネットワーク上のコンテンツ配信サイトあるいはコンテンツ提供端末との通信により、所定のコンテンツデータをダウンロードする通信端末と、当該通信端末と接続し、前記通信端末がダウンロードした前記コンテンツデータを前記通信端末から取得し、再生可能に格納する再生装置とを備えて構成される。【選択図】図１
2006163556.tif 000002
【特許請求の範囲】
【請求項１】
ネットワーク上のコンテンツ配信サイトあるいはコンテンツ提供端末との通信により、当該コンテンツ配信サイトから所定のコンテンツデータをダウンロードする通信端末と、
当該通信端末と接続し、前記通信端末がダウンロードした前記コンテンツデータを前記通信端末から取得し、再生可能に格納する再生装置とを備えることを特徴とするコンテンツ配信システム。
【請求項２】
請求項１において、
前記通信端末は、電子マネーによる決済機能を有し、前記コンテンツデータのダウンロードに対する対価を、電子マネーを用いて決済することを特徴とするコンテンツ配信システム。
【請求項３】
請求項１又は２において、
前記再生装置は、前記通信端末から、前記コンテンツデータを識別するためのコンテンツ識別情報と前記コンテンツデータのダウンロードのための対価が支払い済みであることを示す決済情報とを取得し、格納することを特徴とするコンテンツ配信システム。
【請求項４】
請求項３において、
前記再生装置は、格納されている前記コンテンツデータを削除し、削除済みであることを示す削除情報を生成し、当該削除情報と、格納している前記コンテンツ識別情報及び前記決済情報とを前記通信端末に送信し、
前記通信端末は、前記コンテンツ配信サイトあるいは前記コンテンツ提供端末にアクセスし、前記削除情報と前記コンテンツ識別情報と前記決済情報とを前記コンテンツ配信サイトあるいは前記コンテンツ提供端末に通知することにより、前記コンテンツデータを再度ダウンロード可能であることを特徴とするコンテンツ配信システム。
【請求項５】
通信端末により、ネットワーク上のコンテンツ配信サイトあるいはコンテンツ提供端末にアクセスし、当該コンテンツ配信サイトから所定のコンテンツデータを前記通信端末にダウンロードし、
当該通信端末と接続する再生装置により、前記通信端末がダウンロードした前記コンテンツデータを前記通信端末から取得し、再生可能に格納することを特徴とするコンテンツデータダウンロード方法。
【請求項６】
請求項５において、
前記通信端末は、電子マネーによる決済機能を有し、前記コンテンツデータのダウンロードに対する対価を、電子マネーを用いて決済することを特徴とするコンテンツデータダウンロード方法。
【請求項７】
請求項５又は６において、
前記再生装置は、前記通信端末から、前記コンテンツデータを識別するためのコンテンツ識別情報と前記コンテンツデータのダウンロードのための対価が支払い済みであることを示す決済情報とを取得し、格納することを特徴とするコンテンツデータダウンロード方法。
【請求項８】
請求項７において、
前記再生装置は、格納されている前記コンテンツデータを削除し、削除済みであることを示す削除情報を生成し、当該削除情報と、格納している前記コンテンツ識別情報及び前記決済情報とを前記通信端末に送信し、
前記通信端末は、前記コンテンツ配信サイトあるいは前記コンテンツ提供端末にアクセ
スし、前記削除情報と前記コンテンツ識別情報と前記決済情報とを前記コンテンツ配信サイトあるいは前記コンテンツ提供端末に通知することにより、前記コンテンツデータを再度ダウンロード可能であることを特徴とするコンテンツデータダウンロード方法。
【発明の詳細な説明】
【技術分野】
【０００１】
本発明は、音楽のようなコンテンツを再生する再生装置に配信されるコンテンツをダウンロードするコンテンツ配信システム及びコンテンツデータダウンロード方法に関する。
【背景技術】
【０００２】
近年、インターネットのようなネットワーク上の音楽配信サイトから配信されるコンテンツデータ、例えば楽曲データをパーソナルコンピュータ（ＰＣ）にダウンロードし、ＰＣでその楽曲を再生する手段が普及しつつある。また、デジタルキオスク装置などのコンテンツ提供端末から音楽などのコンテンツを携帯端末にダウンロードすることも普及しつつある。ダウンロードされた楽曲は、その楽曲データが記録されたＰＣ上で再生することはできるが、違法な複製を防止する著作権保護の観点から、他の再生装置への転送は、禁止又は制限されている。また、ネットワークからの音楽のダウンロードは一般的に有料であるため、ダウンロードの際、あらかじめクレジットカードなどによる決済が必要である。決済も、通常、ネットワークとの通信において行われる。従って、ネットワークから音楽をダウンロードし、それを再生するには、その再生装置自体がネットワークとの通信機能を有している必要がある。
【０００３】
そのため、例えば、移動体（自動車）に装備されたオーディオ装置（カーオーディオ）やホームオーディオのように、通信機能を備えないオーディオ装置では、ネットワークから配信される音楽を利用することができない。
【特許文献１】特開２００２−２６１７４３号
【発明の開示】
【発明が解決しようとする課題】
【０００４】
そこで、本発明の目的は、ネットワークから配信される音楽を利用することができるオーディオシステム及びその楽曲データダウンロード方法を提供することにある。
【課題を解決するための手段】
【０００５】
上記目的を達成するための本発明のコンテンツ配信システムの構成は、ネットワーク上のコンテンツ配信サイトあるいはコンテンツ提供端末との通信により、当該コンテンツ配信サイトから所定のコンテンツデータをダウンロードする通信端末と、当該通信端末と接続し、前記通信端末がダウンロードした前記コンテンツデータを前記通信端末から取得し、再生可能に格納する再生装置とを備えることを特徴とする。
【０００６】
上記構成において、例えば、前記通信端末は、電子マネーによる決済機能を有し、前記コンテンツデータのダウンロードに対する対価を、電子マネーを用いて決済する。
【０００７】
また、上記構成において、好ましくは、前記再生装置は、前記通信端末から、前記コンテンツデータを識別するためのコンテンツ識別情報と前記コンテンツデータのダウンロードのための対価が支払い済みであることを示す決済情報とを取得し、格納する。さらに、前記再生装置は、格納されている前記コンテンツデータを削除し、削除済みであることを示す削除情報を生成し、当該削除情報と、格納している前記コンテンツ識別情報及び前記決済情報とを前記通信端末に送信し、前記通信端末は、前記コンテンツ配信サイトあるいはコンテンツ提供端末にアクセスし、前記削除情報と前記コンテンツ識別情報と前記決済情報とを前記コンテンツ配信サイトあるいは前記コンテンツ提供端末に通知することにより、前記コンテンツデータを再度ダウンロード可能である。
【０００８】
上記目的を達成するための本発明のコンテンツデータダウンロード方法は、通信端末に
より、ネットワーク上のコンテンツ配信サイトあるいはコンテンツ提供端末にアクセスし、当該コンテンツ配信サイトから所定のコンテンツデータを前記通信端末にダウンロードし、当該通信端末と接続する再生装置により、前記通信端末がダウンロードした前記コンテンツデータを前記通信端末から取得し、再生可能に格納することを特徴とする。
【０００９】
上記方法において、例えば、前記通信端末は、電子マネーによる決済機能を有し、前記コンテンツデータのダウンロードに対する対価を、電子マネーを用いて決済する。
【００１０】
また、上記方法において、好ましくは、前記再生装置は、前記通信端末から、前記コンテンツデータを識別するためのコンテンツ識別情報と前記コンテンツデータのダウンロードのための対価が支払い済みであることを示す決済情報とを取得し、格納する。さらに、前記再生装置は、格納されている前記コンテンツデータを削除し、削除済みであることを示す削除情報を生成し、当該削除情報と、格納している前記コンテンツ識別情報及び前記決済情報とを前記通信端末に送信し、前記通信端末は、前記コンテンツ配信サイトあるいは前記コンテンツ提供端末にアクセスし、前記削除情報と前記コンテンツ識別情報と前記決済情報とを前記コンテンツ配信サイトあるいは前記コンテンツ提供端末に通知することにより、前記コンテンツデータを再度ダウンロード可能である。
【発明の効果】
【００１１】
本発明によれば、通信機能を有さない再生装置において、ネットワーク上のコンテンツ配信サイトあるいはコンテンツ提供端末からダウンロードされるコンテンツを利用することができるようになる。
【００１２】
また、一旦、再生装置にダウンロードされたコンテンツデータを、著作権に抵触するデジタルコピーを行うことなく、別の再生装置に移動することができる。
【発明を実施するための最良の形態】
【００１３】
以下、図面を参照して本発明の実施の形態について説明する。しかしながら、かかる実施の形態例が、本発明の技術的範囲を限定するものではない。以下の実施の形態例では、ダウンロードするコンテンツデータが一例として楽曲データであり、それを再生するオーディオシステムを例に説明する。ただし、コンテンツデータは、楽曲データに限られる者ではない。
【００１４】
図１は、本発明の実施の形態におけるオーディオシステムの構成例を示す図である。図１において、オーディオシステム１は、音楽配信サイトにネットワークを介して接続可能な通信端末１０、及び当該通信端末１０と有線又は無線で接続するオーディオ装置２０から構成される。
【００１５】
通信端末１０は、例えば、携帯電話であり、音楽配信サイトにインターネットのようなネットワークを介してアクセスし、楽曲データをダウンロードすることができる。また、通信端末１０は、好ましくは、電子マネー機能を有し、電子マネーによる決済が可能である。もちろん、音楽配信サイト側の設定により、クレジットカード番号を入力することによるクレジットカード決済が可能であってもよい。
【００１６】
オーディオ装置２０は、通信端末１０との間でデータを送受信するための所定規格のインターフェース（Ｉ／Ｆ）２１、ユーザとの外部インターフェースである操作パネル２２、オーディオ装置全体を制御するシステムマイコン２３、楽曲データを再生し、音声信号を生成するオーディオＤＳＰ２４、音声信号を外部出力するスピーカ２５、及び記録媒体２６を有する。インターフェース２１は、通信端末１０と有線で接続する場合はコネクタであり、無線で接続する場合は、無線装置である。無線は、例えば近距離（数メートル程
度）の赤外線通信である。また、記憶装置２６は、ハードディスク装置、メモリーカードなどであって、楽曲データを記憶する手段である。
【００１７】
本実施の形態例では、図１のような構成において、通信端末１０により、音楽配信サイトから所定の楽曲データをダウンロードし、それをオーディオ装置２０の記憶装置２６に格納することにより、オーディオ装置２０で、ダウンロードされた楽曲データの利用を可能とする。
【００１８】
図２は、本実施の形態例のオーディオシステムにおける楽曲データのダウンロード処理フローチャートである。図２において、まず、ユーザの操作により、通信端末１０は音楽配信サイト（ネットワーク上のサーバ）にアクセスする（Ｓ１０）。さらに、ユーザの操作により、音楽配信サイトが提供する楽曲からダウンロードする楽曲を選択する（Ｓ１１）。決済においては、通信端末１０が保有している電子マネーが用いられ、通信端末１０の持ち主以外が拾得、窃盗などにより電子マネーを不正に利用するのを防ぐために、好ましくは、所定の暗証番号（パスワード）による本人認証が行われる（Ｓ１２）。暗証番号は、通信端末１０のキーを用いて入力されてもよいし、オーディオ装置２０の操作パネル２２から入力されてもよい。正しく認証が行われると、電子マネーによる支払いが行われ、決済が終了する（Ｓ１３）。クレジットカード決済でもよいが、その場合、クレジットカード番号を入力する操作が必要となり、そのような操作不要な電子マネー決済の方が、操作が簡便である。特に、レンタカーを利用している場合など、外出先での決済は、より簡易な操作が望まれ、電子マネーによる決済が好ましい。正常に決済が終了すると、音楽配信サイトから指定した楽曲の楽曲データをダウンロードする（Ｓ１４）。そして、通信端末１０は、ダウンロードした楽曲データを自己の内部メモリのような記憶手段に格納せずに、オーディオ装置２０側に転送する（Ｓ１５）。
【００１９】
オーディオ装置２０のオーディオＤＳＰ２４は、インターフェース２１を介して楽曲データを受信し（Ｓ１６）、記憶装置２６がそれを格納する（Ｓ１７）。通信端末１０には、楽曲データは記録されないので、オーディオ装置２０に楽曲データを記録するのは、著作権保護の観点から制限されるデジタルコピーのデジタルコピーではない。そして、オーディオＤＳＰ２４が、格納された楽曲データを再生し（Ｓ１８）、ダウンロードされた楽曲がスピーカ２５から出力される。
【００２０】
このように、オーディオ装置２０に通信端末１０を接続し、通信端末１０により音楽配信サイトから楽曲データをダウンロードし、それをオーディオ装置２０に転送することにより、通信機能を有さないオーディオ装置であっても、音楽配信サイトが提供する音楽を利用、再生することができるようになる。
【００２１】
また、楽曲データとともに、オーディオ装置２０は、通信端末１０から、楽曲データを識別するための楽曲識別情報と楽曲データのダウンロードのための対価が支払い済みであることを示す決済情報とを取得し、記憶装置２６に格納する。楽曲識別情報は、楽曲を固有に識別する番号であってもよいし、楽曲のタイトル、演奏者など含む情報であってもよい。オーディオ装置２０がこれらの情報を蓄積することで、以下に述べる楽曲データの移動処理において、再度楽曲データをダウンロードする際、最初にダウンロードした際に用いられた通信端末とは別の通信端末で音楽配信サイトにアクセスした場合であっても、音楽識別情報と決済情報をその別の通信端末に送信することで、別の通信端末による楽曲データの再ダウンロードが可能となる。
【００２２】
次に、上述の方法により、一旦オーディオ装置に格納した楽曲データを他の記憶装置に移動する方法について説明する。
【００２３】
例えば、レンタカーに搭載されているオーディオ装置に自己の通信端末を接続し、上述の方法で音楽配信サイトから楽曲データをダウンロードするような場合、レンタカーのオーディオ装置は、自己所有物ではないが、ダウンロードした楽曲データをレンタカー内で楽しむためには、レンタカーのオーディオ装置に記録しなければならない。しかし、レンタカーを返してしまうと、その楽曲データを利用できなくなってしまう。
【００２４】
一方、楽曲データのデジタルコピーは、著作権保護の観点から制限されており、現在標準的なＳＣＭＳ（シリアル・コピー・マネージメント・システム）に従うと、第一世代に限り許可される。すなわち、一旦、音楽配信サイトからの楽曲データをオーディオ装置に記録すると、その楽曲データを再度デジタルコピーすることはできない。
【００２５】
そこで、本実施の形態例では、上記デジタルコピーの制限を遵守しつつ、楽曲データをオーディオ装置から移動させる。具体的には、オーディオ装置において、楽曲データを消去し、その消去情報を通信端末に通知する。そして、通信端末は、音楽配信サイトに再度アクセスし、その消去情報を通知することで、音楽配信サイトは、同一の楽曲データのダウンロードを許可する。当該楽曲データについては、オーディオ装置から既に消去されているとともに、対価が支払われているので、再度ダウンロードを許可しても、不都合はない。対価の支払いに対する楽曲データのコピーは一つだけであり、実質的に、禁止されている第一世代を超えるデジタルコピーは行われていないからである。
【００２６】
なお、オーディオ装置２０の記憶装置２６が着脱可能なメモリである場合、オーディオ装置２０から記憶装置２６を取り出し、別のオーディオ装置に装着することで、当該別のオーディオ装置での音楽再生が可能であるが、別のオーディオ装置に着脱可能なメモリの装着スロットが搭載されているとは限らない。例えば、別のオーディオ装置が、楽曲データを記憶できる内部記憶装置（ハードディスク装置）を有する装置のような場合、着脱可能メモリにより、楽曲データを移動させることはできない。もちろん、ダウンロードした楽曲データを最初に記憶したオーディオ装置２０の記憶装置２６が着脱不可の場合も、同様に、オーディオ装置２０単体で楽曲データを別のオーディオ装置に移動させることはできない。本実施の形態例では、以下に説明するように、別のオーディオ装置が通信端末１０との通信機能を備えることにより、楽曲データの移動を可能とする。
【００２７】
図３は、本実施の形態のオーディオシステムにおけるダウンロード済み楽曲データの移動処理フローチャートである。まず、図３（ａ）において、ユーザによるオーディオ装置２０の操作パネル２２の操作により、オーディオ装置２０を楽曲データの移動モードにする。操作パネル２２からの入力により、移動させる楽曲データを選択する（Ｓ２０）。システムマイコン２３は、選択された楽曲データの楽曲を識別する楽曲情報と、当該楽曲データについて既に決済済みであることを示す決済情報を抽出し、通信端末１０に送信する（Ｓ２１）。通信端末１０は、楽曲情報と決済情報を受信すると、それを内部メモリに記録する（Ｓ２２）。そして、正常に記録されたこと示す正常記録通知を、オーディオ装置２０側に送信する（Ｓ２３）。オーディオ装置２０のシステムマイコン２３は、当該正常記録通知を受信すると（Ｓ２４）、記録媒体２６に格納されている上記選択された楽曲データを消去する（Ｓ２５）。これにより、当該楽曲データをオーディオ装置２０では再生できなくなる。システムマイコン２３は、楽曲データを消去すると、消去したことを示す消去情報を生成し、それを通信端末１０に送信する（Ｓ２６）。通信端末１０は、当該消去情報を、上記楽曲情報及び決済情報と対応づけて記憶する（Ｓ２７）。
【００２８】
この段階において、オーディオ装置２０からは楽曲データは消去され、通信端末１０が記録しているデータは、楽曲データを識別するための楽曲情報及びその決済情報と消去情報であり、楽曲データそのものを格納していないので、通信端末１０も楽曲データを再生することはできない。
【００２９】
ここで、通信端末１０は、上記処理でオーディオ装置２０から消去した楽曲データを新たに格納する別のオーディオ装置２０’に接続される。別のオーディオ装置２０’の構成は、図２に示すオーディ装置２０と同じ構成である。
【００３０】
例えば、ユーザがレンタカーをした際に、レンタカーのオーディオ装置にダウンロードした楽曲データを上記処理で消去し、自宅のオーディオ装置に楽曲データを移し替える場合である。別のオーディオ装置２０’も、図１に示すオーディオ装置２０と同様の構成を有する。移し替えは、音楽配信サイトからの再ダウンロードにより実現され、移し替えの場合のダウンロード処理は、次に示す図３（ｂ）に示すように処理される。
【００３１】
すなわち、ユーザの操作により、通信端末１０は音楽配信サイトにアクセスし（Ｓ３０）、通信端末１０から図３（ａ）に示した処理で取得した楽曲情報、決済情報、消去情報が音楽配信サイトに通知される（Ｓ３１）。これにより、音楽配信サイトは、楽曲情報に対応する楽曲データについての決済は終了しており、さらに、その楽曲データは消去されていることと認識し、当該楽曲データの再ダウンロードを許可する。
【００３２】
通信端末１０は、ダウンロードが許可された楽曲データをダウンロードし（Ｓ３２）、ダウンロードした楽曲データを内部メモリに格納せずに、別のオーディオ装置２０’に転送する（Ｓ３３）。
【００３３】
別のオーディオ装置２０’は、通信端末１０から送信される楽曲データを受信し（Ｓ３４）、記憶装置２６に格納する（Ｓ３５）。これにより、楽曲データを別のオーディオ装置２０’に移動することができ、別のオーディオ装置２０’で楽曲データを再生、利用することができる。
【００３４】
楽曲データを移動する際に、音楽配信サイトから再ダウンロードさせることで、通信端末１０に楽曲データを一時的にも記憶させる必要がなく、容量の小さなデータ（楽曲情報、決済情報、消去情報）だけを記憶すればよいので、通信端末１０の内部メモリに大きな負担をかけることなく、楽曲データの移動が可能となる。
【００３５】
このように、一度ダウンロードした音楽を別のオーディオ装置でも利用することができるようになるので、ダウンロードした楽曲データの利用の幅が広がる。
【００３６】
上記本実施の形態例において、オーディオ装置２０は、カーオーディオ、ホームオーディオなど据置型のオーディオ装置（音楽再生装置）に限らず、携帯型の音楽再生装置であってもよい。また、通信端末１０は、携帯電話に限らず、ＰＤＡ（パーソナル・デジタル・アシスタント）、ノートパソコンなどでもかまわない。
【００３７】
また、ダウンロード先は、ネットワーク上の音楽配信サイトに限られず、例えば、デジタルキオスク装置などのようなコンテンツ自動販売機（コンテンツ提供端末）であってもよい。
【図面の簡単な説明】
【００３８】
【図１】本発明の実施の形態におけるオーディオシステムの構成例を示す図である。
【図２】本実施の形態例のオーディオシステムにおける楽曲データのダウンロード処理フローチャートである。
【図３】本実施の形態のオーディオシステムにおけるダウンロード済み楽曲データの移動処理フローチャートである。
【符号の説明】
【００３９】
１０：通信端末、２０（２０’）：オーディオ装置、２１：インターフェース、２２：操作パネル、２３：システムマイコン、２４：オーディオＤＳＰ、２５：スピーカ、２６：記憶装置
【図１】
2006163556.tif 000003
【図２】
2006163556.tif 000004
【図３】
2006163556.tif 000005